(57)【要約】      （修正有）【課題】上り信号及び下り信号を転送するときに、送信者情報及び宛先情報を適切に設定し、下りの同報配信や上りの信号合成を可能にする中継装置、中継方法及び中継プログラムを提供する。【解決手段】中継装置１０は、変換先となるヘッダ情報を記憶する情報記憶部４０と、無線制御装置から受信した下り信号をヘッダとペイロードに分離する下り信号分離部２１と、下り信号のペイロードを宛先となる複数の無線装置と同じ数だけ複製する信号複製部２３と、情報記憶部が記憶するヘッダ情報に基づいて、下り信号のヘッダを宛先となる無線装置ごとに変換する下り信号ヘッダ情報変換部２２と、信号複製部が複製した下り信号のペイロードそれぞれに対し、下り信号ヘッダ情報変換部が変換したヘッダを付加し、それぞれ対応する無線装置へ転送する信号付加振分部２４とを有する。【選択図】図１
2020077973.tif 000002
【特許請求の範囲】
【請求項１】
端末と無線通信する複数の無線装置と、前記無線装置を制御する１以上の無線制御装置とを中継する中継装置であって、
変換先となるヘッダ情報を記憶する情報記憶部と、
前記無線制御装置から受信した下り信号をヘッダとペイロードに分離する下り信号分離部と、
前記下り信号のペイロードを宛先となる複数の前記無線装置と同じ数だけ複製する信号複製部と、
前記情報記憶部が記憶するヘッダ情報に基づいて、前記下り信号のヘッダを宛先となる前記無線装置ごとに変換する下り信号ヘッダ情報変換部と、
前記信号複製部が複製した前記下り信号のペイロードそれぞれに対し、前記下り信号ヘッダ情報変換部が変換したヘッダを付加し、それぞれ対応する前記無線装置へ転送する信号付加振分部と、
複数の前記無線装置から受信した上り信号をそれぞれヘッダとペイロードに分離する上り信号分離部と、
複数の前記上り信号のペイロードを宛先となる前記無線制御装置ごとに合成する信号合成部と、
前記情報記憶部が記憶するヘッダ情報に基づいて、前記上り信号のヘッダを宛先となる前記無線制御装置ごとに変換する上り信号ヘッダ情報変換部と、
前記信号合成部が合成した前記上り信号のペイロードに対し、前記上り信号ヘッダ情報変換部が変換したヘッダを付加し、対応する前記無線制御装置へ転送する信号付加部と
を有することを特徴とする中継装置。
【請求項２】
前記無線装置が前記無線制御装置へ送信する信号、及び前記無線制御装置が前記無線装置へ送信する信号の少なくともいずれかに基づいて、前記情報記憶部が記憶するヘッダ情報を取得する情報取得部
をさらに有することを特徴とする請求項１に記載の中継装置。
【請求項３】
前記情報取得部は、
下り通信のヘッダ情報として、前記無線装置ごとに前記上り信号の宛先情報と送信者情報とを対応付けて前記情報記憶部に記憶させ、上り通信のヘッダ情報として、前記無線制御装置ごとに前記下り信号の宛先情報と送信者情報とを対応付けて前記情報記憶部に記憶させ、
前記下り信号ヘッダ情報変換部は、
前記情報記憶部が記憶する前記下り通信のヘッダ情報に基づいて、前記上り信号の送信者情報を用いて前記下り信号の宛先情報を変換し、
前記上り信号ヘッダ情報変換部は、
前記情報記憶部が記憶する前記上り通信のヘッダ情報に基づいて、前記下り信号の宛先情報を用いて前記上り信号の送信者情報を変換すること
を特徴とする請求項２に記載の中継装置。
【請求項４】
前記情報取得部は、
予め定められた方向性のある信号のヘッダ情報に基づいて、宛先及び送信者が前記無線制御装置及び前記無線装置のいずれであるかを識別する情報を取得すること
を特徴とする請求項２に記載の中継装置。
【請求項５】
前記下り信号ヘッダ情報変換部は、
宛先情報のみを変換し、
前記上り信号ヘッダ情報変換部は、
送信者情報のみを変換すること
を特徴とする請求項１〜４のいずれか１項に記載の中継装置。
【請求項６】
前記下り信号ヘッダ情報変換部及び前記上り信号ヘッダ情報変換部は、
いずれも宛先情報及び送信者情報を変換すること
を特徴とする請求項１〜４のいずれか１項に記載の中継装置。
【請求項７】
端末と無線通信する複数の無線装置と、前記無線装置を制御する１以上の無線制御装置とを中継する中継方法であって、
変換先となるヘッダ情報を情報記憶部が記憶する工程と、
前記無線制御装置から受信した下り信号をヘッダとペイロードに分離する工程と、
前記下り信号のペイロードを宛先となる複数の前記無線装置と同じ数だけ複製する工程と、
前記情報記憶部が記憶するヘッダ情報に基づいて、前記下り信号のヘッダを宛先となる前記無線装置ごとに変換する工程と、
複製した前記下り信号のペイロードそれぞれに対し、変換したヘッダを付加し、それぞれ対応する前記無線装置へ転送する工程と、
複数の前記無線装置から受信した上り信号をそれぞれヘッダとペイロードに分離する工程と、
複数の前記上り信号のペイロードを宛先となる前記無線制御装置ごとに合成する工程と、
前記情報記憶部が記憶するヘッダ情報に基づいて、前記上り信号のヘッダを宛先となる前記無線制御装置ごとに変換する工程と、
合成した前記上り信号のペイロードに対し、変換したヘッダを付加し、対応する前記無線制御装置へ転送する工程と
を含むことを特徴とする中継方法。
【請求項８】
請求項１〜６のいずれか１項に記載の中継装置の各部としてコンピュータを機能させるための中継プログラム。
【発明の詳細な説明】
【技術分野】
【０００１】
本発明は、中継装置、中継方法及び中継プログラムに関する。
【背景技術】
【０００２】
移動通信システムなどの無線通信システムでは、複数の無線装置を１つのセル（サービスエリア）として１つの無線制御装置により制御する分散アンテナシステムの適用が進められている。例えば図８に示すように、無線制御装置と複数の無線装置の間にＦＨＭ（Fronthaul Multiplexer）と呼ばれる中継装置が設置される（例えば非特許文献１参照）。
【０００３】
図８に示した、中継装置１は、分散アンテナシステムにおいて、端末と無線通信する複数の無線装置（例えば無線装置Ａ及び無線装置Ｂ）と、これらの複数の無線装置を制御する無線制御装置（例えば無線制御装置Ｓ）とを中継する。中継装置１は、信号複製部２及び信号合成部３を有する。信号複製部２は、無線制御装置Ｓから送信された下り信号を複製し、複製した信号を各無線装置へ転送する。信号合成部３は、無線装置から送信された上り信号を合成して無線制御装置へ送信する。
【０００４】
無線制御装置と無線装置の間のリンクでは、ＣＰＲＩ（Common Public Radio Interface）と呼ばれるインタフェースの信号がやり取りされている。中継装置の信号複製部は、ＣＰＲＩの下りリンク信号を無線装置の数だけ複製して各無線装置に分配する。中継装置の信号合成部は、各無線装置から受信したＣＰＲＩの上り信号の合成を行う。このような機能を備えた中継装置が配置されることにより、１つの無線制御装置によって複数の無線装置からなるセルを構築することができる。
【０００５】
分散アンテナシステムには、ＣＰＲＩ信号を分配／合成する中継装置を用いるもののほかに、無線信号の処理を全て終えて生成されたＲＦ（Radio Frequency）信号を分配／合成する中継装置を用いるものもある。
【０００６】
一方、将来の移動通信システムに向けて、無線信号波形のＩＱデータを量子化して伝送するＣＰＲＩ信号による無線制御装置−無線装置間の伝送データ量の増大が課題となっている。そこで、無線制御装置と無線装置の機能分割を再定義することによって伝送データ量を削減することが検討されている（例えば非特許文献２参照）。
【０００７】
機能分割再定義における分割点には、複数の候補が存在する。非特許文献２によれば、例えばＬＬＳ（Lower Layer Split）では、ＰＨＹ（Physical）層の上位までを無線制御装置が保持し、ＰＨＹ層の下位からは無線装置が保持する。また、ＨＬＳ（Higher Layer Split）では、ＰＤＣＰ（Packet Data Convergence Protocol）層までを無線制御装置が保持し、ＲＬＣ（Radio Link Control）層の下位からは無線装置が保持する。
【０００８】
一方、従来のＣＰＲＩ分割点では、ＰＨＹ層までを無線制御装置が保持し、無線装置はＲＦ機能部のみを保持する。ここで、従来のＣＰＲＩとは異なり、ＨＬＳやＬＬＳでは、送信者・宛先情報をヘッダに加えた形式で、信号が伝送されることが想定されている。
【０００９】
例えば、ＬＬＳでは、無線制御装置と無線装置との間は、ｅＣＰＲＩ（Enhanced Common Public Radio Interface）で信号がやり取りされるが、プロトコルとしてＵＤＰ／ＩＰやＥｔｈｅｒｎｅｔ等が用いられる。またＨＬＳでも、プロトコルとしてＵＤＰ／ＩＰが含まれる。
【先行技術文献】
【非特許文献】
【００１０】
【非特許文献１】藤井昌宏、外３名、「ＮＴＴ  ＤＯＣＯＭＯ  テクニカル・ジャーナル  Ｖｏｌ．２４  Ｎｏ．２  ３．５ＧＨｚ帯ＴＤ−ＬＴＥ導入に向けた基地局装置の開発」、一般社団法人  電気通信協会、２０１６年７月、ｐ．８−１３
【非特許文献２】ウメシュ  アニール、外４名、「ＮＴＴ  ＤＯＣＯＭＯ  テクニカル・ジャーナル  Ｖｏｌ．２５  Ｎｏ．３  ５Ｇ無線アクセスネットワーク標準化動向」、一般社団法人  電気通信協会、２０１７年１０月、ｐ．３３−４３
【発明の概要】
【発明が解決しようとする課題】
【００１１】
従来の分散アンテナシステムの中継装置では、下り信号を分配するときに、転送先である無線装置ごとにヘッダの宛先情報を変更することができなかった。このため、無線装置が正しい受信をすることができず、転送された信号を自分宛の信号ではないと判断して破棄してしまう可能性があった。
【００１２】
また、分散アンテナシステムの中継装置は、上り信号を合成して送信するときに、無線制御装置が認識可能な形式でヘッダ情報を付ける必要がある。しかし、従来の中継装置は、ヘッダとペイロードを区別しないために、各無線装置から受信する信号のヘッダ情報も合成してしまう。ここで、例えば無線装置Ａと無線装置Ｂからの信号を合成する場合を考える。
【００１３】
無線装置Ａからの信号のヘッダに含まれる送信者情報は無線装置Ａを示し、無線装置Ｂからの信号のヘッダに含まれる送信者情報は無線装置Ｂを示す。これらの送信者情報に対して、ビットレベルで足し合わせるような合成方法がとられると、無線装置Ａとも無線装置Ｂとも違う別の値が合成されるため、送信者情報が意味のある値ではなくなる。
【００１４】
また、これらの送信者情報に対して、どちらかを選択するような合成方法をとろうにも、無線制御装置がどの無線装置と通信を行っているか、すなわち、どちらの送信者情報であれば無線制御装置が無線装置を認識可能か分からず、中継装置が送信者情報を選択できない。
【００１５】
このように、従来は、中継装置が上り・下り信号を転送するときに、送信者情報及び宛先情報を適切に設定することができないという問題があった。
【００１６】
本発明は、上り信号及び下り信号を転送するときに、送信者情報及び宛先情報を適切に設定し、下りの同報配信や上りの信号合成を可能にする中継装置、中継方法及び中継プログラムを提供することを目的とする。
【課題を解決するための手段】
【００１７】
本発明の一態様にかかる中継装置は、端末と無線通信する複数の無線装置と、前記無線装置を制御する１以上の無線制御装置とを中継する中継装置であって、変換先となるヘッダ情報を記憶する情報記憶部と、前記無線制御装置から受信した下り信号をヘッダとペイロードに分離する下り信号分離部と、前記下り信号のペイロードを宛先となる複数の前記無線装置と同じ数だけ複製する信号複製部と、前記情報記憶部が記憶するヘッダ情報に基づいて、前記下り信号のヘッダを宛先となる前記無線装置ごとに変換する下り信号ヘッダ情報変換部と、前記信号複製部が複製した前記下り信号のペイロードそれぞれに対し、前記下り信号ヘッダ情報変換部が変換したヘッダを付加し、それぞれ対応する前記無線装置へ転送する信号付加振分部と、複数の前記無線装置から受信した上り信号をそれぞれヘッダとペイロードに分離する上り信号分離部と、複数の前記上り信号のペイロードを宛先となる前記無線制御装置ごとに合成する信号合成部と、前記情報記憶部が記憶するヘッダ情報に基づいて、前記上り信号のヘッダを宛先となる前記無線制御装置ごとに変換する上り信号ヘッダ情報変換部と、前記信号合成部が合成した前記上り信号のペイロードに対し、前記上り信号ヘッダ情報変換部が変換したヘッダを付加し、対応する前記無線制御装置へ転送する信号付加部とを有することを特徴とする。
【００１８】
また、本発明の一態様にかかる中継装置は、前記無線装置が前記無線制御装置へ送信する信号、及び前記無線制御装置が前記無線装置へ送信する信号の少なくともいずれかに基づいて、前記情報記憶部が記憶するヘッダ情報を取得する情報取得部をさらに有していてもよい。
【００１９】
また、本発明の一態様にかかる中継装置は、前記情報取得部が、下り通信のヘッダ情報として、前記無線装置ごとに前記上り信号の宛先情報と送信者情報とを対応付けて前記情報記憶部に記憶させ、上り通信のヘッダ情報として、前記無線制御装置ごとに前記下り信号の宛先情報と送信者情報とを対応付けて前記情報記憶部に記憶させ、前記下り信号ヘッダ情報変換部が、前記情報記憶部が記憶する前記下り通信のヘッダ情報に基づいて、前記上り信号の送信者情報を用いて前記下り信号の宛先情報を変換し、前記上り信号ヘッダ情報変換部が、前記情報記憶部が記憶する前記上り通信のヘッダ情報に基づいて、前記下り信号の宛先情報を用いて前記上り信号の送信者情報を変換してもよい。
【００２０】
また、本発明の一態様にかかる中継装置は、前記情報取得部が、予め定められた方向性のある信号のヘッダ情報に基づいて、宛先及び送信者が前記無線制御装置及び前記無線装置のいずれであるかを識別する情報を取得してもよい。
【００２１】
また、本発明の一態様にかかる中継装置は、前記下り信号ヘッダ情報変換部が、宛先情報のみを変換し、前記上り信号ヘッダ情報変換部が、送信者情報のみを変換してもよい。
【００２２】
また、本発明の一態様にかかる中継装置は、前記下り信号ヘッダ情報変換部及び前記上り信号ヘッダ情報変換部が、いずれも宛先情報及び送信者情報を変換してもよい。
【００２３】
また、本発明の一態様にかかる中継方法は、端末と無線通信する複数の無線装置と、前記無線装置を制御する１以上の無線制御装置とを中継する中継方法であって、変換先となるヘッダ情報を情報記憶部が記憶する工程と、前記無線制御装置から受信した下り信号をヘッダとペイロードに分離する工程と、前記下り信号のペイロードを宛先となる複数の前記無線装置と同じ数だけ複製する工程と、前記情報記憶部が記憶するヘッダ情報に基づいて、前記下り信号のヘッダを宛先となる前記無線装置ごとに変換する工程と、複製した前記下り信号のペイロードそれぞれに対し、変換したヘッダを付加し、それぞれ対応する前記無線装置へ転送する工程と、複数の前記無線装置から受信した上り信号をそれぞれヘッダとペイロードに分離する工程と、複数の前記上り信号のペイロードを宛先となる前記無線制御装置ごとに合成する工程と、前記情報記憶部が記憶するヘッダ情報に基づいて、前記上り信号のヘッダを宛先となる前記無線制御装置ごとに変換する工程と、合成した前記上り信号のペイロードに対し、変換したヘッダを付加し、対応する前記無線制御装置へ転送する工程とを含むことを特徴とする。
【００２４】
また、本発明の一態様にかかる中継プログラムは、上述した中継装置の各部としてコンピュータを機能させる。
【発明の効果】
【００２５】
本発明は、上り信号及び下り信号を転送するときに、送信者情報及び宛先情報を適切に設定し、下りの同報配信や上りの信号合成を可能にすることができる。
【図面の簡単な説明】
【００２６】
【図１】一実施形態にかかる中継装置の構成例及びその周辺を示す図である。
【図２】分散アンテナシステムの下り通信における中継装置の機能を示す図である。
【図３】分散アンテナシステムの上り通信における中継装置の機能を示す図である。
【図４】情報記憶部が記憶する情報の具体例を示す図である。
【図５】他の実施形態にかかる中継装置の構成例及びその周辺を示す図である。
【図６】（ａ）は、ヘッダ情報変換部の変形例の構成及びその周辺を示す図である。（ｂ）は、ヘッダ情報変換部の変形例の構成及びその周辺を示す図である。
【図７】図６（ａ），（ｂ）に示された情報記憶部が記憶する情報の具体例を示す図である。
【図８】従来の中継装置の構成例及びその周辺を示す図である。
【発明を実施するための形態】
【００２７】
以下に、図面を用いて中継装置の一実施形態を説明する。図１は、一実施形態にかかる中継装置１０の構成例及びその周辺を示す。図１に示した、中継装置１０は、例えば分散アンテナシステムにおいて、端末と無線通信する複数の無線装置（例えば無線装置Ａ及び無線装置Ｂ等）と、これらの複数の無線装置を制御する１以上の無線制御装置（例えば無線制御装置Ｓ）とを中継する。中継装置１０は、例えば下り信号処理部２０、上り信号処理部３０及び情報記憶部４０を有する。
【００２８】
下り信号処理部２０は、信号分離部２１、ヘッダ情報変換部２２、信号複製部２３及び信号付加振分部２４を有する。
【００２９】
信号分離部２１は、無線制御装置Ｓから受信した下り信号をヘッダとペイロードに分離して、ヘッダに含まれるヘッダ情報をヘッダ情報変換部２２に対して出力し、ペイロードを信号複製部２３に対して出力する下り信号分離部である。
【００３０】
ヘッダ情報変換部２２は、情報記憶部４０が記憶する変換先となるヘッダ情報等（図４を用いて後述）に基づいて、信号分離部２１から入力したヘッダ情報を宛先となる無線装置ごとに送信可能な形に変換し、変換したヘッダ情報それぞれを信号付加振分部２４に対して出力する下り信号ヘッダ情報変換部である。
【００３１】
信号複製部２３は、信号分離部２１から入力したペイロードを宛先となる複数の無線装置と同じ数だけ複製し、複製したペイロードそれぞれを信号付加振分部２４に対して出力する。
【００３２】
信号付加振分部２４は、信号複製部２３が複製したペイロードそれぞれに対し、ヘッダ情報変換部２２が変換したヘッダ情報をそれぞれ付加し、ヘッダ情報が付加されたペイロードそれぞれを対応するポートに振り分けることによって各無線装置に振り分けて転送する。
【００３３】
上り信号処理部３０は、信号分離部３１、ヘッダ情報変換部３２、信号合成部３３及び信号付加部３４を有する。
【００３４】
信号分離部３１は、各無線装置から受信した上り信号それぞれをヘッダとペイロードに分離して、ヘッダに含まれるヘッダ情報をヘッダ情報変換部３２に対して出力し、ペイロードを信号合成部３３に対して出力する上り信号分離部である。
【００３５】
ヘッダ情報変換部３２は、情報記憶部４０が記憶する変換先となるヘッダ情報等（図４を用いて後述）に基づいて、信号分離部３１から入力したヘッダ情報を宛先となる無線制御装置ごとに送信可能な形に変換し、変換したヘッダ情報を信号付加部３４に対して出力する上り信号ヘッダ情報変換部である。
【００３６】
信号合成部３３は、信号分離部３１から入力したペイロードを宛先となる無線制御装置ごとに合成し、合成したペイロードを信号付加部３４に対して出力する。
【００３７】
信号付加部３４は、信号合成部３３が合成したペイロードに対し、ヘッダ情報変換部３２が変換したヘッダ情報を付加し、ヘッダ情報が付加されたペイロードを対応するポートに出力して無線制御装置へ転送する。
【００３８】
図２は、分散アンテナシステムの下り通信における中継装置１０の機能を示す。下り通信では、無線制御装置Ｓから送信された信号のヘッダ情報に含まれる宛先情報により、いずれかの無線装置に対応する値が指定される。ここでは、無線装置Ａが宛先として設定されていると想定する。
【００３９】
中継装置１０は、無線制御装置Ｓから信号を受信すると、受信した信号の宛先情報だけを無線装置ごとにそれぞれ変更して転送する。このため、無線装置Ａ及び無線装置Ｂは、自身が宛先として設定された信号がそれぞれ送信されるため、信号を正しく受信することができる。
【００４０】
図３は、分散アンテナシステムの上り通信における中継装置１０の機能を示す。ここでは、各無線装置から送信された信号のヘッダには、各無線装置がそれぞれ送信者として設定され、無線制御装置Ｓが宛先として設定されていると想定する。
【００４１】
中継装置１０は、無線装置Ａ及び無線装置Ｂから信号を受信すると、無線制御装置Ｓが通信相手として認識している例えば無線装置Ａの送信者情報をヘッダに付加し、無線制御装置Ｓに対して送信する。このため、無線制御装置Ｓは、送信者情報を正しく認識することができ、信号を正しく受信することができる。
【００４２】
なお、無線制御装置Ｓが通信相手として認識している無線装置とは、例えば、下り通信において無線制御装置Ｓが信号を送信するときにヘッダ情報に含めることができる宛先情報によって特定される無線装置のいずれかである。
【００４３】
図１においては、中継装置１０に接続されている全ての無線装置が１つの無線制御装置Ｓに帰属している分散アンテナシステムの構成例が示されているが、分散アンテナシステムは、本形態に限られない。例えば、分散アンテナシステムは、複数の無線制御装置（例えば無線制御装置Ｓ１，Ｓ２等）が配置され、中継装置１０に接続されている複数の無線装置（例えば無線装置Ａ，Ｂ，Ｃ等）が複数の無線制御装置のいずれかに帰属する構成であってもよい。
【００４４】
分散アンテナシステムに複数の無線制御装置が配置されている場合には、中継装置１０の情報記憶部４０（図１）は、複数の無線制御装置と、複数の無線装置との帰属関係も記憶する。
【００４５】
例えば、下り通信では、中継装置１０がいずれかの無線制御装置から信号を受信すると、ヘッダ情報変換部２２は、受信した信号に示された送信者情報を確認し、当該無線制御装置に帰属する無線装置のヘッダ情報だけを用意する。また、信号複製部２３は、当該無線制御装置に帰属する無線装置の数だけ信号を複製する。そして、信号付加振分部２４は、当該無線制御装置に帰属する無線装置に対してのみ信号を転送する。
【００４６】
また、上り通信では、中継装置１０が複数の無線装置から信号を受信すると、信号合成部３３は、情報記憶部４０が記憶している情報（図４を用いて詳述）において同じ無線制御装置に帰属しているとされている無線装置の信号ごとに合成を行う。また、ヘッダ情報変換部３２は、複数の無線装置が帰属している無線制御装置ごとに変換したヘッダを用意する。そして、信号付加部３４は、無線制御装置ごとに信号を振り分けて送信する。つまり信号付加部３４は、無線制御装置が１つの場合には、信号を対応するポートに出力するだけであるが、無線制御装置が２以上の場合には、信号付加振分部２４と同様に、無線制御装置ごとに信号を振り分ける機能を有する。
【００４７】
図４は、情報記憶部４０が記憶する情報の具体例を示す。情報記憶部４０は、ヘッダ情報として、例えばＩＰアドレス及びＭＡＣアドレスを保持する。ここで、各無線装置のＩＰアドレス及びＭＡＣアドレスは、下り通信の宛先情報として保持されている。一方、下り通信における送信者情報としては、無線装置がそれぞれ帰属する無線制御装置のＩＰアドレス及びＭＡＣアドレスが保持されている。
【００４８】
すなわち、図４に示した例では、無線装置Ａ及び無線装置Ｂが無線制御装置Ｓ１に帰属して通信し、無線装置Ｃが無線制御装置Ｓ２に帰属して通信する。
【００４９】
各無線制御装置のＩＰアドレス及びＭＡＣアドレスは、上り通信の宛先情報として保持されている。一方、上り通信における送信者情報としては、各無線制御装置が通信相手として認識している無線装置のいずれかのＩＰアドレス及びＭＡＣアドレスが保持されている。
【００５０】
すなわち、図４に示した例では、無線装置Ａが無線制御装置Ｓ１の通信相手、無線装置Ｃが無線制御装置Ｓ２の通信相手として認識されている場合が示されている。ただし、図４に示した例は、一例であり、情報記憶部４０が記憶する情報は図４に示した情報に限定されない。
【００５１】
次に、中継装置の他の実施形態について説明する。図５は、他の実施形態にかかる中継装置１０ａの構成例及びその周辺を示す。
【００５２】
図５に示した、中継装置１０ａは、例えば分散アンテナシステムにおいて、端末と無線通信する複数の無線装置（例えば無線装置Ａ及び無線装置Ｂ等）と、これらの複数の無線装置を制御する１以上の無線制御装置（例えば無線制御装置Ｓ）とを中継する。中継装置１０ａは、例えば下り信号処理部２０ａ、上り信号処理部３０ａ、情報記憶部４０ａ及び情報取得部４２ａを有する。
【００５３】
下り信号処理部２０ａは、信号分離部２１ａ、ヘッダ情報変換部２２ａ、信号複製部２３ａ及び信号付加振分部２４ａを有する。
【００５４】
信号分離部２１ａは、無線制御装置Ｓから受信した下り信号をヘッダとペイロードに分離して、ヘッダに含まれるヘッダ情報をヘッダ情報変換部２２ａに対して出力し、ペイロードを信号複製部２３ａに対して出力する下り信号分離部である。また、信号分離部２１ａは、無線制御装置Ｓから受信した下り信号から、送信者情報（無線制御装置アドレス（ａ））及び宛先情報（無線装置アドレス（ｂ））とを分離させ、分離させた送信者情報及び宛先情報を情報取得部４２ａに対して出力する。
【００５５】
ヘッダ情報変換部２２ａは、後述する情報記憶部４０ａが記憶する情報に基づいて、信号分離部２１ａから入力したヘッダ情報を宛先となる無線装置ごとに送信可能な形に変換し、変換したヘッダ情報それぞれを信号付加振分部２４ａに対して出力する下り信号ヘッダ情報変換部である。
【００５６】
信号複製部２３ａは、信号分離部２１ａから入力したペイロードを宛先となる複数の無線装置と同じ数だけ複製し、複製したペイロードそれぞれを信号付加振分部２４ａに対して出力する。
【００５７】
信号付加振分部２４ａは、信号複製部２３ａが複製したペイロードそれぞれに対し、ヘッダ情報変換部２２ａが変換したヘッダ情報をそれぞれ付加し、ヘッダ情報が付加されたペイロードそれぞれを対応するポートに振り分けることによって各無線装置に振り分けて転送する。
【００５８】
上り信号処理部３０ａは、信号分離部３１ａ、ヘッダ情報変換部３２ａ、信号合成部３３ａ及び信号付加部３４ａを有する。
【００５９】
信号分離部３１ａは、各無線装置から受信した上り信号それぞれをヘッダとペイロードに分離して、ヘッダに含まれるヘッダ情報をヘッダ情報変換部３２ａに対して出力し、ペイロードを信号合成部３３ａに対して出力する上り信号分離部である。また、信号分離部３１ａは、各無線装置から受信した上り信号それぞれから、送信者情報（無線装置アドレス（ｃ））及び宛先情報（無線制御装置アドレス（ｄ））とを分離させ、分離させた送信者情報及び宛先情報を情報取得部４２ａに対して出力する。
【００６０】
ヘッダ情報変換部３２ａは、後述する情報記憶部４０ａが記憶する情報に基づいて、信号分離部３１ａから入力したヘッダ情報を宛先となる無線制御装置ごとに送信可能な形に変換し、変換したヘッダ情報を信号付加部３４ａに対して出力する上り信号ヘッダ情報変換部である。
【００６１】
信号合成部３３ａは、信号分離部３１ａから入力したペイロードを宛先となる無線制御装置ことに合成し、合成したペイロードを信号付加部３４ａに対して出力する。
【００６２】
信号付加部３４ａは、信号合成部３３ａが合成したペイロードに対し、ヘッダ情報変換部３２ａが変換したヘッダ情報を付加し、ヘッダ情報が付加されたペイロードを対応するポートに出力して無線制御装置へ転送する。
【００６３】
情報取得部４２ａは、例えば、信号分離部２１ａから下り信号の送信者情報（無線制御装置アドレス（ａ））及び宛先情報（無線装置アドレス（ｂ））を無線制御装置ごとに取得し、信号分離部３１ａから上り信号の送信者情報（無線装置アドレス（ｃ））及び宛先情報（無線制御装置アドレス（ｄ））を無線装置ごとに取得する。そして、情報取得部４２ａは、取得した送信者情報（（ａ），（ｃ））及び宛先情報（（ｂ），（ｄ））を情報記憶部４０ａに記憶させる。
【００６４】
ここで、無線装置アドレス（ｂ）は、無線制御装置アドレス（ａ）の無線制御装置が通信相手として認識している無線装置を示す情報である。また、無線制御装置アドレス（ｄ）は、無線装置アドレス（ｃ）の無線装置が帰属する無線制御装置を示す情報である。
【００６５】
また、無線制御装置が複数ある場合には、下り信号に、無線制御装置ごとに異なる宛先情報（無線装置アドレス（ｂ））が設定される。すなわち、情報取得部４２ａは、下り信号の送信者情報（無線制御装置アドレス（ａ））及び宛先情報（無線装置アドレス（ｂ））を同時に確認し、上り通信のヘッダ情報として、宛先情報となる無線制御装置アドレス（ａ）ごとに、当該無線制御装置が通信相手として認識している無線装置の無線装置アドレス（ｂ）を情報記憶部４０ａに記憶させる。
【００６６】
また、無線制御装置が複数ある場合には、上り信号に、無線装置が帰属する無線制御装置ごとに異なる宛先情報（無線制御装置アドレス（ｄ））が設定される。すなわち、情報取得部４２ａは、上り信号の送信者情報（無線装置アドレス（ｃ））及び宛先情報（無線制御装置アドレス（ｄ））を同時に確認し、下り通信のヘッダ情報として、宛先情報となる無線装置アドレス（ｃ）ごとに、当該無線装置が帰属する無線制御装置の無線制御装置アドレス（ｄ）を情報記憶部４０ａに記憶させる。
【００６７】
従って、上り通信では、ヘッダ情報変換部３２ａは、情報記憶部４０ａに記憶された上り通信のヘッダ情報において、上り信号の宛先情報である無線制御装置アドレス（ａ）に対応付けて記憶されている無線装置アドレス（ｂ）を用いて送信者情報を変換すればよい。また、下り通信では、ヘッダ情報変換部２２ａは、情報記憶部４０ａに記憶された下り通信のヘッダ情報において、下り信号の送信者情報である無線制御装置アドレス（ｄ）に対応付けて記憶されている無線装置アドレス（ｃ）を用いて宛先情報を変換すればよい。
【００６８】
なお、中継装置１０ａにおいては、接続されているポートのうち、どのポートに無線制御装置又は無線装置が接続されているかが事前に設定されていると想定されている。
【００６９】
しかし、無線制御装置−無線装置間では、送信者が無線制御装置又は無線装置のいずれであるかを特定可能な信号もやり取りされる。よって、情報取得部４２ａは、送信者が無線制御装置又は無線装置のいずれであるかを特定可能な信号を確認し、中継装置１０ａに接続されているポートのうち、どのポートに接続されているのが無線制御装置又は無線装置のいずれであるかを識別するように構成されてもよい。
【００７０】
例えば、ｅＣＰＲＩでは、無線制御装置から無線装置に対してｒｅｍｏｔｅ  ｒｅｓｅｔが送られる。よって、情報取得部４２ａは、ｒｅｍｏｔｅ  ｒｅｓｅｔの送信者を無線制御装置とし、宛先を無線装置として識別してもよい。また、ＨＬＳでは、無線装置から無線制御装置に対してＦ１  ｓｅｔｕｐが送られる。よって、情報取得部４２ａは、Ｆ１  ｓｅｔｕｐの送信者を無線装置とし、宛先を無線制御装置として識別してもよい。
【００７１】
このように、情報取得部４２ａは、予め定められた方向性のある信号のヘッダ情報に基づいて、宛先及び送信者が無線制御装置及び無線装置のいずれであるかを識別する情報を取得してもよい。これにより、中継装置１０ａに対して事前にポートを設定する手間を省くことができる。
【００７２】
次に、ヘッダ情報変換部２２の変形例（ヘッダ情報変換部２２ｂ）と、ヘッダ情報変換部３２の変形例（ヘッダ情報変換部３２ｂ）について説明する。
【００７３】
図２，３を用いて説明した例では、中継装置１０（図１）は、無線制御装置Ｓが信号を伝送するときに宛先として無線装置Ａ又は無線装置Ｂを設定し、無線装置Ａ又は無線装置Ｂが信号を伝送するときに宛先として無線制御装置Ｓを設定していた。この場合、下り通信ではヘッダ情報変換部２２が宛先情報のみを変換し、上り通信ではヘッダ情報変換部３２が送信者情報のみを変換すればよい。
【００７４】
別の形態として、中継装置１０（図１）にもアドレス情報を持たせ、無線制御装置Ｓが信号を伝送するときに通信相手を中継装置１０とし、無線装置Ａ又は無線装置Ｂが信号を伝送するときに通信相手を中継装置１０とするように、それぞれ設定されてもよい。
【００７５】
図６（ａ）は、ヘッダ情報変換部２２の変形例（ヘッダ情報変換部２２ｂ）の構成及びその周辺を示す。図６（ｂ）は、ヘッダ情報変換部３２の変形例（ヘッダ情報変換部３２ｂ）の構成及びその周辺を示す。
【００７６】
図６（ａ）に示すように、ヘッダ情報変換部２２ｂは、送信者情報変換部２２０及び宛先情報変換部２２２を有する。下り通信において、無線制御装置から送信される信号は、送信者が「無線制御装置」であり、宛先が「中継装置」であると設定されている。ヘッダ情報変換部２２ｂは、無線制御装置から受信した信号に対し、送信者情報変換部２２０が送信者を「中継装置」に変換し、宛先情報変換部２２２が宛先を「無線装置」に変換する。
【００７７】
これにより、無線装置は、宛先が自身であり、かつ、通信相手に設定されている中継装置が送信者であると示された信号を受信することができる。
【００７８】
図６（ｂ）に示すように、ヘッダ情報変換部３２ｂは、送信者情報変換部３２０及び宛先情報変換部３２２を有する。上り通信において、無線装置から送信される信号は、送信者が「無線装置」であり、宛先が「中継装置」であると設定されている。ヘッダ情報変換部３２ｂは、無線装置から受信した信号に対し、送信者情報変換部３２０が送信者を「中継装置」に変換し、宛先情報変換部３２２が宛先を「無線制御装置」に変換する。
【００７９】
これにより、無線制御装置は、宛先が自身であり、かつ、通信相手に設定されている中継装置が送信者であると示された信号を受信することができる。
【００８０】
図７は、図６（ａ），（ｂ）に示された情報記憶部４０ｂが記憶する情報の具体例を示す。情報記憶部４０ｂは、ヘッダ情報として、例えばＩＰアドレス及びＭＡＣアドレスを保持する。ここで、各無線装置のＩＰアドレス及びＭＡＣアドレスは、下り通信の宛先情報として保持されている。一方、下り通信における送信者情報としては、中継装置のＩＰアドレス及びＭＡＣアドレスが保持されている。
【００８１】
また、各無線制御装置のＩＰアドレス及びＭＡＣアドレスは、上り通信の宛先情報として保持されている。一方、上り通信における送信者情報としては、中継装置のＩＰアドレス及びＭＡＣアドレスが保持されている。
【００８２】
また、無線制御装置が複数存在する場合には、情報記憶部４０ｂは、無線装置と無線制御装置の帰属関係も保持する。図７に示した例では、無線制御装置Ｓ１には無線装置Ａと無線装置Ｂが帰属し、無線制御装置Ｓ２には無線装置Ｃが帰属している。
【００８３】
以上、説明した通り、実施形態にかかる中継装置１０又は中継装置１０ａによれば、上り信号及び下り信号を転送するときに、送信者情報及び宛先情報を適切に設定し、下りの同報配信や上りの信号合成を可能にすることができる。
【００８４】
なお、中継装置１０が有する下り信号処理部２０、上り信号処理部３０及び情報記憶部４０、並びに中継装置１０ａが有する下り信号処理部２０ａ、上り信号処理部３０ａ、情報記憶部４０ａ及び情報取得部４２ａ等の機能は、専用ハードウェアで実装されてもよいし、ＣＰＵを備えたコンピュータとしての機能を有する汎用ハード上にプログラムとして実装されてもよい。
【００８５】
すなわち、本発明にかかる中継装置１０及び中継装置１０ａは、コンピュータとプログラムによっても実現でき、プログラムを記録媒体に記録することも、ネットワークを通して提供することも可能である。
【００８６】
以上述べた実施形態は、全て本発明の実施形態を例示的に示すものであって、限定的に示すものではなく、本発明は他の種々の変形態様及び変更態様でも実施することができる。
【符号の説明】
【００８７】
１０，１０ａ・・・中継装置、２０，２０ａ・・・下り信号処理部、２１，２１ａ・・・信号分離部、２２，２２ａ，２２ｂ・・・ヘッダ情報変換部、２３，２３ａ・・・信号複製部、２４，２４ａ・・・信号付加振分部、２２０・・・送信者情報変換部、２２２・・・宛先情報変換部、３０，３０ａ・・・上り信号処理部、３１，３１ａ・・・信号分離部、３２，３２ａ，３２ｂ・・・ヘッダ情報変換部、３３，３３ａ・・・信号合成部、３４，３４ａ・・・信号付加部、３２０・・・送信者情報変換部、３２２・・・宛先情報変換部、４０，４０ａ，４０ｂ・・・情報記憶部、４２ａ・・・情報取得部
【図１】
2020077973.tif 000003
【図２】
2020077973.tif 000004
【図３】
2020077973.tif 000005
【図４】
2020077973.tif 000006
【図５】
2020077973.tif 000007
【図６】
2020077973.tif 000008
【図７】
2020077973.tif 000009
【図８】
2020077973.tif 000010